(57)【要約】【課題】意匠性に優れた空気調和機を提供する。【解決手段】空気調和装置は、空調対象域に存在する人体の位置を検知する可動式センサー３と、可動式センサー３を外部から目視可能に保護する可動式センサー保護部材５と、可動式センサー保護部材５を露出させるための逃がし部１ａが形成されている前面意匠パネル１と、前面意匠パネル１が取り付けられる前面パネル６と、を有し、可動式センサー保護部材５を前面パネル６に取り付けることによって、可動式センサー保護部材５と前面意匠パネル１との隙間を均一にしている。【選択図】図１
2010071521.tif 000002
【特許請求の範囲】
【請求項１】
空調対象域に存在する人体の位置を検知する可動式センサーと、
前記可動式センサーが外部から目視可能に取り付けられ、この可動式センサーを保護する可動式センサー保護部材と、
前記可動式センサー保護部材を露出させるための逃がし部が形成されている前面意匠パネルと、
前記前面意匠パネルが取り付けられる前面パネルと、を有し、
前記可動式センサー保護部材を前面パネルに取り付けることによって、前記可動式センサー保護部材と前記前面意匠パネルとの隙間を均一にしている
ことを特徴とする空気調和装置。
【請求項２】
前記可動式センサーを保持する可動式センサー保持部材を設け、
前記可動式センサー保護部材と前記可動式センサー保持部材とを締結部材で固定することによって、前記可動式センサー保護部材と前記可動式センサーとの隙間を均一にしている
ことを特徴とする請求項１に記載の空気調和装置。
【請求項３】
前記可動式センサー保護部材を赤外線透過性樹脂で成形している
ことを特徴とする請求項１又は２に記載の空気調和装置。
【発明の詳細な説明】
【技術分野】
【０００１】
本発明は、室内機を備えた空気調和装置に関し、特に室内機に設置される可動式センサーを保護する可動式センサー保護部材の取り付けに特徴を有する空気調和装置に関するものである。
【背景技術】
【０００２】
従来、空気調和装置の室内機の可動式センサー部品は、前面パネルにセンサー用窓を臨ませて取り付けられていた。そのようなものとして、「本体を構成するベースと、同ベースの前部に装着され、前面上部および、または上面に吸込口を備え下部に吹出口を備えた前面パネルと、前記ベースの一側に設けられた電装部と、同電装部の下部に取り付けられ、上下に支軸を備えたセンサケースおよびこれに固着されたセンサからなり、前記電装部の下部に取り付けられる取付部と、前記支軸に対応する支軸孔とを備えた支軸部材により回動可能に軸支される可動式センサ部と、同可動式センサ部に対応して前記前面パネルに設けられたセンサ用窓と、前記前面パネルの前面上部の吸込口を構成する吸込グリルと、からなる空気調和機」が提案されている（たとえば、特許文献１参照）。
【０００３】
【特許文献１】特開２００１−５９６４０号公報（第３−４頁、第２図）
【発明の開示】
【発明が解決しようとする課題】
【０００４】
上記のような空気調和装置の構成においては、可動式センサー近傍にリモコン受信部がある場合に、前面パネルの一部を薄肉化してリモコン受信部とする方法が考えられる。そうした場合、部品サイズが大きい前面パネルの一部を薄肉化するため、射出成形時に、薄肉部で樹脂の流れが急激に変化し、前面パネルに波打ちが生じたり、色合いが部分的に異なって、外観の意匠面を損ねてしまうという問題がある。また、前面パネルの材料を赤外線透過樹脂にする方法も考えられるが、前面パネルの強度不足や、高コスト化を招いてしまうという問題もある。
【０００５】
本発明は、上記のような問題を解決するためになされたもので、意匠性に優れた空気調和機を提供することを第１の目的としている。また、第１の目的に加え、本発明は、安価、かつ、従来と同等のリモコン受信性能を備えた空気調和機を提供することを第２の目的としている。
【課題を解決するための手段】
【０００６】
本発明に係る空気調和装置は、空調対象域に存在する人体の位置を検知する可動式センサーと、前記可動式センサーを外部から目視可能に配置し、この可動式センサーを保護する可動式センサー保護部材と、前記可動式センサー保護部材を露出させるための逃がし部が形成されている前面意匠パネルと、前記前面意匠パネルが取り付けられる前面パネルと、を有し、前記可動式センサー保護部材を前面パネルに取り付けることによって、前記可動式センサー保護部材と前記前面意匠パネルとの隙間を均一にしていることを特徴とする。
【発明の効果】
【０００７】
本発明に係る空気調和装置によれば、可動式センサーと部品サイズが小さい可動式センサー保持部材とが、前面意匠パネルから意匠部品として外部に露出することになり、赤外線透過樹脂で成形された可動式センサー保護部材を前面パネルに取付けることで、リモコン受信が可能となり、前面パネルにリモコン受信用の薄肉部を設ける必要がなくなり、また、同じく前面パネルに取り付けられた前面意匠パネルとの隙間を均一に確保でき、意匠性に優れたものにすることができる。
【発明を実施するための最良の形態】
【０００８】
以下、本発明の実施の形態を図面に基づいて説明する。
実施の形態１．
図１は、本発明の実施の形態１に係る空気調和装置の室内機５０を正面から見た状態を示す正面図である。図１に基づいて、室内機５０の構成について説明する。この室内機５０は、空気調和装置の構成要素として室内等の壁に設置され、冷媒を循環させる冷凍サイクルを利用することで室内等の空調対象域に空調空気（冷房用空気又は暖房用空気）を供給するものである。なお、図１を含め、以下の図面では各構成部材の大きさの関係が実際のものとは異なる場合がある。
【０００９】
室内機５０は、筐体５５と、筐体５５を覆う前面パネル６と、前面パネル６の正面を開閉自在に取り付けられる前面意匠パネル１と、筐体５５の上部に開口形成され、室内空気を内部に吸い込むための吸込口５１と、前面パネル６の下方に開口形成され、空調空気を空調対象域に供給するための吹出口２と、吹出口２の上側中央部分に設置された可動式センサー３と、可動式センサー３を取り付ける可動式センサー保持部材４と、可動式センサー３を保護し、空調対象域に臨ませる（目視可能にする）可動式センサー保護部材５と、筐体５５内に収納され、吸込口５１から空気を吸い込み、吹出口２から空気を吹き出す図示省略の送風ファンと、吸込口５１から送風ファンまでの風路に配設され、冷媒を空気とで熱交換することで空調空気を作り出す図示省略の熱交換器と、を有している。
【００１０】
前面意匠パネル１は、透明樹脂等で成形され、裏面に塗装あるいは印刷処理が施されており、筐体５５に着脱可能に取り付けられている。また、前面意匠パネル１の下側中央部には、可動式センサー保護部材５を避けるようにした逃がし部１ａが形成されている。この逃がし部１ａは、前面意匠パネル１の下側中央部を切り欠いて形成されている（図３（ｂ）参照）。つまり、可動式センサー保護部材５は、赤外線透過性樹脂で成形され、逃がし部１ａを介して空調対象域に直接臨んでいる。また、可動式センサー３は、可動式センサー保持部材４に取り付けられた状態で、可動式センサー保護部材５から意匠部として空調対象域に臨んでいる。この可動式センサー３は、空調対象域に存在する人体の位置を検知するものである。
【００１１】
図２は、室内機５０の前面パネル６の位置における断面構成を示す横断面図である。図３は、室内機５０の構成を説明するための説明図である。図４は、可動式センサー保護部材５の着脱を説明するための説明図である。図２〜図４に基づいて、室内機５０の可動式センサー３周辺の構成について説明する。図３（ａ）が室内機５０の可動式センサー保護部材５の設置部分を拡大して示す部分斜視図を、図３（ｂ）が前面パネル６に前面意匠パネル１が取り付けられている状態を示す全体斜視図を、図３（ｃ）が前面意匠パネル１の開閉状態を示す全体斜視図を、それぞれ示している。
【００１２】
図２に示すように、可動式センサー３は、可動式センサー保持部材４に取り付けられた状態で、可動式センサー保護部材５を介して空調対象域に臨んでいる。すなわち、可動式センサー３は、前面意匠パネル１、前面パネル６及び可動式センサー保護部材５とともに室内機５０の意匠部を構成しているのである。また、図３（ｂ）及び図３（ｃ）に示すように、実機においては、可動式センサー保護部材５を前面パネル６に取り付けた後に、前面意匠パネル１を前面パネル６に取り付けて、図中に示す矢印Ｂのように前面意匠パネル１が開閉動作するようになっている。
【００１３】
可動式センサー保護部材５は、図３に示すように、可動式センサー保護部材５の下部両端に突出形成されている下部固定用ツメ５ｂを前面パネル６に形成されている下部嵌合穴６ｂに嵌め込み、更に可動式センサー保護部材５の上部両端に突出形成されている上部固定用ツメ５ａを前面パネル６に形成されている上部嵌合穴６ａに嵌め込むことで前面パネル６に固定されるようになっている。そして、可動式センサー保護部材５も、室内機５０の意匠部として空調対象域に臨むことになる。なお、上部嵌合穴６ａは、上部固定用ツメ５ａに対応する前面パネル６の所定の位置に形成され、下部嵌合穴６ｂは、下部固定用ツメ５ｂに対応する前面パネル６の所定の位置に形成されている。
【００１４】
可動式センサー３は、図４に示すように、可動式センサー３の回転軸上に設けられている軸受け部３ａと、この軸受け部３ａを介して可動式センサー３を駆動する可動式センサー駆動モーター７との連結部（図示省略）と、を有し、可動式センサー駆動モーター７とともに可動式センサー保持部材４に装着されている。そして、可動式センサー３、連結部及び可動式センサー保持部材４が一体となって可動式センサー組立部品１００を構成している。なお、可動式センサー３は、図２に示す矢印Ａの範囲で往復して可動するようになっている。
【００１５】
図５は、基板固定組立部品２００を分解した状態を示す分解斜視図である。図６は、基板固定組立部品２００を組み立てた状態を示す斜視図である。図７は、組み立てた基板固定組立部品２００を拡大して示す正面図である。図５〜図７に基づいて、基板固定組立部品２００について詳細に説明する。図７（ａ）が組み立てた基板固定組立部品２００を拡大し、可動式センサー保護部材５と前面意匠パネル１との間に形成される隙間ａを示し、図７（ｂ）が組み立てた基板固定組立部品２００を更に拡大し、可動式センサー保護部材５と可動式センサー３との間に形成される隙間ｂを示している。
【００１６】
図５に示すように、可動式センサー組立部品１００は、ＬＥＤ等の光をパネル越しに表示させる表示部品である表示基板８、基板ホルダー９、リモコン受信部品１０、及び、可動式センサー駆動モーター７のカバー１１とともに基板固定部品１２に一体に着脱自在に固定されている。そして、可動式センサー組立部品１００、表示基板８、基板ホルダー９、リモコン受信部品１０、カバー１１、及び、基板固定部品１２が一体的に基板固定組立部品２００を構成しており、筐体５５に取り付けられるようになっている。
【００１７】
また、可動式センサー保護部材５は、図３に示したように前面パネル６の前面側から取り付けられるようになっている。可動式センサー保護部材５の上部中央側には、図６に示すように取り付け位置を決定するための位置決め用突起５ｃが２箇所形成されている。この位置決め用突起５ｃは、可動式センサー保持部材４に貫通形成されている位置決め用穴４ａに挿入されるようになっている。つまり、可動式センサー保護部材５の２箇所の位置決め用突起５ｃを可動式センサー保持部材４の位置決め用穴４ａに挿入することで可動式センサー保護部材５と可動式センサー３との位置関係を決定するようになっているのである。可動式センサー保護部材５と可動式センサー３との位置関係を決定した後、可動式センサー保護部材５は、基板固定組立部品２００にネジ留めされるようになっている。
【００１８】
そして、前面意匠パネル１には、可動式センサー保護部材５を避けるように逃がし部１ａを設けているので、この逃がし部１ａから、可動式センサー保護部材５が空調対象域に直接臨む、露出することになる。なお、図６の状態のとき、可動式センサー保護部材５は、前面パネル６に取り付けられていることになるが、図６には便宜的に前面パネル６を図示していない。また、可動式センサー保護部材５が空調対象域に直接臨むとは、可動式センサー保護部材５が空調対象域から目視できる位置にあるということである。
【００１９】
本実施の形態によれば、可動式センサー３と可動式センサー保護部材５とを備え、これらが筐体５５に取り付けられて前面パネル６から室内機５０の外部に臨む、つまり空調対象域から目視できるようにし、可動式センサー保護部材５を赤外線透過性樹脂で成形し、その内側にリモコン受信部品１０を設けているので、前面パネル６には、リモコン受信用の薄肉部を設ける必要がない。また、室内機５０の意匠性を損なうことなくリモコン受信性能を得ることができる。
【００２０】
可動式センサー保護部材５を前面パネル６の前面に取り付けることで、図７（ａ）に示すように可動式センサー保護部材５と前面意匠パネル１との間に均一な隙間ａを形成することができる。また、可動式センサー保護部材５を、位置決め用穴４ａ及び位置決め用突起５ｃで可動式センサー３と可動式センサー保護部材５との位置関係を決めた後に基板固定組立部品２００の固定することで、図７（ｂ）に示すように可動式センサー保護部材５と可動式センサー３との間に均一な隙間ｂを形成することができる。すなわち、隙間ａ及び隙間ｂは、位置決め用穴４ａ及び位置決め用突起５ｃによって均一に形成しやすくなっているのである。
【００２１】
以上のように、可動式センサー保護部材５を前面パネル６の前面に取り付けることで、同じく前面パネル６に取り付けられた前面意匠パネル１との組立バラつきが少なくなる。そのため、可動式センサー保護部材５と前面意匠パネル１との隙間ａが均一になり、意匠性に優れたものとなる。さらにまた、可動式センサー保護部材５を、２箇所の位置決めで可動式センサー３と可動式センサー保護部材５との位置関係を決めた後に基板固定組立部品にネジ留めすることで、可動式センサー３と可動式センサー保護部材５との隙間ｂが均一になり、意匠性に優れたものとなる。このとき、可動式センサー保護部材５及び前面パネル６は、固定されているので、結果として可動式センサー３と前面パネル６の位置関係も決まることになる。
【図面の簡単な説明】
【００２２】
【図１】実施の形態１に係る空気調和装置の室内機を正面から見た状態を示す正面図である。
【図２】室内機の前面パネルの位置における断面構成を示す横断面図である。
【図３】室内機の部分的な内部構成を示す縦断面図である。
【図４】可動式センサー保護部材の着脱を説明するための説明図である。
【図５】基板固定組立部品を分解した状態を示す分解斜視図である。
【図６】基板固定組立部品を組み立てた状態を示す斜視図である。
【図７】組み立てた基板固定組立部品を拡大して示す正面図である。
【符号の説明】
【００２３】
１  前面意匠パネル、１ａ  逃がし部、２  吹出口、３  可動式センサー、３ａ  軸受け部、４  可動式センサー保持部材、４ａ  位置決め用穴、５  可動式センサー保護部材、５ａ  上部固定用ツメ、５ｂ  下部固定用ツメ、５ｃ  位置決め用突起、６  前面パネル、６ａ  上部嵌合穴、６ｂ  下部嵌合穴、７  可動式センサー駆動モーター、８  表示基板、９  基板ホルダー、１０  リモコン受信部品、１１  カバー、１２  基板固定部品、５０  室内機、５１  吸込口、５５  筐体、１００  可動式センサー組立部品、２００  基板固定組立部品。
【図１】
2010071521.tif 000003
【図２】
2010071521.tif 000004
【図３】
2010071521.tif 000005
【図４】
2010071521.tif 000006
【図５】
2010071521.tif 000007
【図６】
2010071521.tif 000008
【図７】
2010071521.tif 000009